(57)【要約】  本発明はＰＤＵセッション管理に関し、特に、ＰＤＵセッションのためにユーザプレーンリソースを確立するための方法およびデバイスに関する。これは、インフラストラクチャノードおよびユーザ機器ノードのための方法およびデバイスなどの、多数の実施形態において実現される。たとえば、プロトコルデータユニット（ＰＤＵ）セッション管理のための方法において、方法は、アクセスおよびモビリティ管理機能エンティティ（ＡＭＦ）において、ユーザ機器（ＵＥ）によって送信される登録要求メッセージを受信するステップであって、登録要求メッセージは、１つまたは複数のＰＤＵセッションがユーザプレーン（ＵＰ）リソースを必要とすることを示し、ＵＰリソースを必要とするＰＤＵセッションの各々を識別する情報を含む、受信するステップと、登録要求メッセージの受信に応答して、ＡＭＦが、ＵＰリソースを必要とするＰＤＵセッションのうちの少なくとも１つについてＵＰリソースを確立することをＳＭＦに要求するためのＵＰリソース要求メッセージを、セッション管理機能（ＳＭＦ）に送信するステップと、を伴う。方法は、ＵＰリソース要求メッセージの受信に応答して、ＳＭＦがＵＰ機能再配置をトリガすることをさらに含む。【選択図】図１
2020504559.tif 000002
【特許請求の範囲】
【請求項１】
プロトコルデータユニット（ＰＤＵ）セッション管理のための方法（３００）であって、
−アクセスおよびモビリティ管理機能エンティティ（ＡＭＦ）（１０４）において、ユーザ機器（ＵＥ）（１０２）によって送信される登録要求メッセージを受信すること（３０２）であって、前記登録要求メッセージは、１つまたは複数のＰＤＵセッションがユーザプレーン（ＵＰ）リソースを必要とすることを示し、ＵＰリソースを必要とする前記ＰＤＵセッションの各々を識別する情報を含む、受信すること（３０２）、および、
−前記登録要求メッセージの受信に応答して、前記ＡＭＦ（１０４）が、ＵＰリソースを必要とする前記ＰＤＵセッションのうちの少なくとも１つについてＵＰリソースを確立することをセッション管理機能（ＳＭＦ）（１０６）に要求するためのＵＰリソース要求メッセージを、前記ＳＭＦ（１０６）に送信すること（３０４）、
を含む、ＰＤＵセッション管理のための方法（３００）。
【請求項２】
−前記ＵＰリソース要求メッセージの受信に応答して、前記ＳＭＦ（１０６）がＵＰ機能再配置をトリガすること、
をさらに含む、請求項１に記載の方法（３００）。
【請求項３】
前記登録要求メッセージは、前記ＵＥ（１０２）が登録された状態にあり、モビリティに起因して登録を開始していることを示す登録タイプ識別子（ＩＤ）をさらに備える、請求項１または２に記載の方法（３００）。
【請求項４】
−前記ＵＰリソース要求メッセージに応答して、前記ＳＭＦ（１０６）によって送信されるセッション管理（ＳＭ）情報を受信することであって、前記ＳＭ情報はＮ２  ＳＭ情報である、受信すること、
をさらに含む、請求項１から３のいずれか一項に記載の方法（３００）。
【請求項５】
−前記ＡＭＦ（１０４）が前記ＵＥ（１０２）をサーブするアクセスノード（１０８）に、Ｎ２  ＰＤＵセッション要求メッセージを送信することであって、前記メッセージはセッション管理情報を含む、送信すること、
をさらに含む、請求項４に記載の方法（３００）。
【請求項６】
前記Ｎ２  ＳＭ情報は、サービス品質（ＱｏＳ）を示す情報およびトンネルエンドポイント情報を含む、請求項４または５に記載の方法（３００）。
【請求項７】
ＵＰリソースを必要とする識別されたＰＤＵセッションのための前記ＵＰリソースは、無線インターフェース上のデータ無線ベアラ（ＤＲＢ）、および、ＵＰ機能と前記ＵＥ（１０２）をサーブする前記アクセスノード（１０８）との間のＵＰトンネルを含む、請求項１から６のいずれか一項に記載の方法。
【請求項８】
前記登録要求メッセージが、前記ネットワークが前記ＵＥとのシグナリング接続を維持することを前記ＵＥが要求していることを示す継続フラグを含む、請求項１から７のいずれか一項に記載の方法。
【請求項９】
−前記シグナリング接続が維持されることを前記ＵＥが要求したことを示す情報を、前記ＡＭＦが記憶するステップ、および、
−前記ＵＥをサーブしている無線アクセスネットワーク（ＲＡＮ）のノードに、前記ＡＭＦが情報を送るステップであって、前記ノードに送られる前記情報は、前記シグナリング接続が維持されることを前記ＵＥが要求したことを示す、送るステップ、
をさらに含む、請求項８に記載の方法。
【請求項１０】
プロトコルデータユニット（ＰＤＵ）セッション管理のためのアクセスおよびモビリティ管理機能エンティティ（ＡＭＦ）（１０４）であって、前記ＡＭＦ（１０４）は、データ処理システム（５０２）、データ記憶システム（５０８）、およびネットワークインターフェース（５０５）を備え、前記データ処理システムは、
−ユーザ機器（ＵＥ）（１０２）によって送信される登録要求メッセージを、前記ネットワークインターフェース（５０５）を介して受信すること（３０２）であって、前記登録要求メッセージは、１つまたは複数のＰＤＵセッションがユーザプレーン（ＵＰ）リソースを必要とすることを示し、ＵＰリソースを必要とする前記ＰＤＵセッションの各々を識別する情報を含む、受信すること（３０２）、および、
−前記登録要求メッセージの受信に応答して、ＵＰリソースを必要とする前記識別されたＰＤＵセッションのうちの少なくとも１つについてＵＰリソースを確立することを前記ＳＭＦ（１０６）に要求するためのＵＰリソース要求メッセージを、前記ネットワークインターフェース（５０５）を介してセッション管理機能（ＳＭＦ）（１０６）に送信すること（３０４）のための、
前記データ記憶システムに記憶されるコンピュータ可読命令を実行するように適合される、ＰＤＵセッション管理のためのＡＭＦ（１０４）。
【請求項１１】
前記登録要求メッセージは、前記ＵＥ（１０２）が登録された状態にあり、モビリティに起因して登録を開始していることを示す登録タイプ識別子（ＩＤ）をさらに備える、請求項１０に記載のＡＭＦ（１０４）。
【請求項１２】
前記ＡＭＦ（１０４）は、前記ＵＰリソース要求メッセージに応答して、前記ＳＭＦ（１０６）によって送信されるセッション管理情報を受信するようにさらに適合され、前記セッション管理情報はＮ２  ＳＭ情報である、
請求項１０または１１に記載のＡＭＦ（１０４）。
【請求項１３】
−前記ＡＭＦ（１０４）が前記ＵＥ（１０２）をサーブするアクセスノード（１０８）に、メッセージ、Ｎ２  ＰＤＵセッション要求を送信するようにさらに適合され、前記メッセージは前記セッション管理情報を含む、
請求項１２に記載のＡＭＦ（１０４）。
【請求項１４】
前記セッション管理情報は、サービス品質（ＱｏＳ）を示す情報およびトンネルエンドポイント情報を含む、請求項１２または１３に記載のＡＭＦ（１０４）。
【請求項１５】
前記識別されたＰＤＵセッションのための前記ＵＰリソースは、無線インターフェース上のデータ無線ベアラ（ＤＲＢ）、および、ＵＰ機能と前記ＵＥ（１０２）をサーブする前記アクセスノード（１０８）との間のＵＰトンネルを含む、請求項１０から１４のいずれか一項に記載のＡＭＦ（１０４）。
【請求項１６】
前記登録要求メッセージが、前記ネットワークが前記ＵＥとのシグナリング接続を維持することを前記ＵＥが要求していることを示す継続フラグを含む、請求項１０から１５のいずれか一項に記載のＡＭＦ。
【請求項１７】
ユーザ機器（ＵＥ）（１０２）における、プロトコルデータユニット（ＰＤＵ）セッション管理のための方法（４００）であって、
−ユーザ機器（ＵＥ）（１０２）によって、１つまたは複数のＰＤＵセッションがユーザプレーン（ＵＰ）リソースを必要としていることを決定すること（４０２）、
−前記ＵＥによって、登録要求メッセージを送信することが必要であることを決定すること（４０４）、および、
−ａ）前記登録要求メッセージを送信することが必要であること、およびｂ）前記１つまたは複数のＰＤＵセッションがＵＰリソースを必要としていることを決定した後、前記ＵＥが前記登録要求メッセージを送信すること（４０４）であって、前記登録要求メッセージは、前記１つまたは複数のＰＤＵセッションがＵＰリソースを必要としていることを示す情報を含む、送信すること（４０４）、
を含む、ＰＤＵセッション管理のための方法（４００）。
【請求項１８】
前記登録要求メッセージは、登録タイプを識別するための登録タイプ識別子（ＩＤ）、ＵＥ  ＩＤ、セキュリティパラメータ、ネットワークスライス選択支援情報、およびＮｅｔｗｏｒｋ  Ｓｌｉｃｅ  Ｓｅｌｅｃｔｉｏｎ  Ａｓｓｉｓｔａｎｃｅ  Ｉｎｆｏｒｍａｔｉｏｎ（ＮＳＳＡＩ）を、さらに含む、請求項１７に記載の方法（４００）。
【請求項１９】
前記登録要求メッセージは、前記ＵＥ（１０２）が登録された状態にあり、モビリティに起因して登録を開始していることを示す登録タイプ識別子をさらに含む、請求項１７または１８に記載の方法（４００）。
【請求項２０】
前記識別されたＰＤＵセッションについての前記ＵＰリソースは、無線インターフェースおよびＵＰトンネル上のデータ無線ベアラ（ＤＲＢ）を含む、請求項１７から１９のいずれか一項に記載の方法（４００）。
【請求項２１】
前記登録要求メッセージが、前記ネットワークが前記ＵＥとのシグナリング接続を維持することを前記ＵＥが要求していることを示す継続フラグを含む、請求項１７から２０のいずれか一項に記載の方法。
【請求項２２】
データ処理システム（６０２）、データ記憶システム（６０８）、アンテナ（６２２）に結合された無線送信器（６０５）および受信器（６０６）を備える、ユーザ機器（ＵＥ）（１０２）であって、前記データ処理システムは、
−１つまたは複数のプロトコルデータユニット（ＰＤＵ）セッションがユーザプレーン（ＵＰ）リソースを必要としていることを決定するため、
−前記無線送信器（６０５）を使用して登録要求メッセージを送信することが必要であることを決定するため、および、
−ａ）前記登録要求メッセージを送信することが必要であること、およびｂ）前記１つまたは複数のＰＤＵセッションがＵＰリソースを必要としていることを決定した後、前記無線送信器（６０５）を使用して前記登録要求メッセージを送信するためであって、前記登録要求メッセージは、前記１つまたは複数のＰＤＵセッションがＵＰリソースを必要としていることを示す情報を含む、送信するために、
コンピュータ可読命令を実行するように適合される、ユーザ機器（ＵＥ）（１０２）。
【請求項２３】
前記登録要求メッセージは、登録タイプを識別するための登録タイプ識別子（ＩＤ）、ＵＥ  ＩＤ、永続ＩＤまたは一時ＩＤ、セキュリティパラメータ、ネットワークスライス選択支援情報（ＮＳＳＡＩ）を、さらに含む、請求項２２に記載のＵＥ（１０２）。
【請求項２４】
前記登録要求メッセージは、前記ＵＥ（１０２）が登録された状態にあり、モビリティに起因して登録を開始していることを示す登録タイプ識別子（ＩＤ）をさらに含む、請求項２２または２３に記載のＵＥ（１０２）。
【請求項２５】
前記識別されたＰＤＵセッションについての前記ＵＰリソースは、無線インターフェースおよびＵＰトンネル上のデータ無線ベアラ（ＤＲＢ）を含む、請求項２２から２４のいずれか一項に記載のＵＥ（１０２）。
【請求項２６】
前記登録要求メッセージが、前記ネットワークが前記ＵＥとのシグナリング接続を維持することを前記ＵＥが要求していることを示す継続フラグをさらに含む、請求項２２から２５のいずれか一項に記載のＵＥ（１０２）。
【発明の詳細な説明】
【技術分野】
【０００１】
本発明は、ＰＤＵセッション管理に関し、特に、ＰＤＵセッションのためのユーザプレーンリソースを確立することに関する。
【背景技術】
【０００２】
電気通信界において、無線通信ネットワークを利用するための効率的かつ信頼性の高いソリューションを提供するために、絶え間ない進化が続いている。新世代はそれぞれ、無線ネットワークに接続されたデバイスを接続し、サーブする必要があるという、異なる状態およびプロセスに対処するための独自の技術的課題を有する。これは特に、セルラ通信ネットワークに当てはまることである。
【０００３】
セルラ通信ネットワークは、高水準のアクセスインフラストラクチャおよびコアインフラストラクチャを含む。アクセスインフラストラクチャは、デバイスを接続するための無線アクセスを提供し、これらのデバイスのコネクティビティに対処する。コアインフラストラクチャは、認証、課金、サービス品質（ＱｏＳ）ハンドリング、および同様のユーザ／デバイス管理機能を提供する。さらに、コアネットワークは、インスタンスインターネットアクセスなどの外部ネットワークへのアクセスも提供する。接続デバイスは、しばしば、示されたユーザ機器ＵＥであるが、デバイスは必ずしもユーザを必要とせず、ネットワークに接続されている任意のタイプのデバイス、すなわち、無線アクセスネットワークノードとの無線通信が可能なデバイスであり得、ＵＥはたとえば、スマートフォン、ラップトップ、ＰＣ、ユーティリティデバイス、車両、スマートセンサなどであり得ることに留意されたい。モノのインターネット（ＩｏＴ）の出現により、人との対話に関与するか、あるいは異なるソリューションまたは機能をサーブするスタンドアロン型デバイスとしての、多くの異なるタイプのデバイス、機能、およびソリューションが公開されている。
【０００４】
第３世代パートナーシッププロジェクト（３ＧＰＰ）は、次世代の移動体通信システム（別名、５Ｇ移動体通信システムまたは次世代（ＮＧ）システム、あるいは単に略して「５Ｇ」または「ＮＧ」）の開発および設計に乗り出している。３ＧＰＰは、現在、新無線（ＮＲ）または「Ｇ−ＵＴＲＡ」と呼ばれる５Ｇ無線インターフェースならびに次世代パケットコアネットワーク（ＮＧ−ＣＮまたはＮＧＣ）を指定するプロセスを進めている。
【０００５】
ユーザ機器（ＵＥ）は、登録を必要とするサービスを受信するために、ネットワークに登録する必要がある。登録手順は、（１）ＵＥが最初に５Ｇシステムに登録するとき、（２）ＵＥがモビリティに起因して登録手順を開始するとき、たとえば、ＵＥがアイドルモードで新規の追跡エリア（ＴＡ）に変更するとき、（３）ＵＥが、事前に規定された不活動の期間の満了に起因して定期的更新を実行するとき、などの状況において利用される。
【０００６】
初期の登録の間に、ＵＥからモバイル機器（ＭＥ）識別が取得される。アクセスおよびモビリティ管理機能（ＡＭＦ）オペレータは、ＥＩＲを用いてＭＥ識別をチェックすることができる。その後、ＡＭＦは、ＭＥ識別（ＩＭＥＩＳＶ）を、統一データ管理（ＵＤＭ）、セッション管理機能（ＳＭＦ）、およびポリシー制御機能（ＰＣＦ）に渡す。ＡＭＦはモビリティ管理機能（ＭＭＦ）としても知られており、したがってＡＭＦおよびＭＭＦは等価である。
【発明の概要】
【０００７】
ユーザ機器（ＵＥ）を５Ｇコアネットワーク（ＣＮ）に登録する際、アクセスおよびモビリティ管理機能（ＡＭＦ）は、ＵＥが送信するＵＰデータを有する特定のプロトコルデータユニット（ＰＤＵ）セッションに必要なユーザプレーン（ＵＰ）リソースをセットアップまたは開始することを知ることができない。本開示はこの問題に対処する。
【０００８】
たとえば、一実施形態において、ＵＥは、登録要求メッセージ（たとえば、添付要求メッセージ、追跡エリア更新（ＴＡＵ）、登録要求、など）内に、いずれのＰＤＵセッションがＵＰリソースを必要とするか（たとえば、無線インターフェース上のデータ無線ベアラ（ＤＢＲ）およびネットワーク内のネットワーク機能間の関連するＵＰトンネル）に関する情報を含む。ＡＭＦは、いずれのＰＤＵセッションがＵＰリソースを必要とするかに関する情報を含む、ＵＥによって送信された登録要求メッセージを受信する。ＡＭＦは、ＵＥによって送信される登録要求メッセージ内の、いずれのＰＤＵセッションがＵＰリソースを必要とするかに関する情報に従って、ＵＰリソースの確立を要求する。ＵＰリソースの確立についての要求に応答し、無線アクセスネットワーク（ＲＡＮ）およびＳＭＦはそれに応じてＵＰリソースを割り振る。
【０００９】
本発明は、多数の実施形態において、たとえば、プロトコルデータユニット（ＰＤＵ）セッション管理のための方法において、具体化され、方法は、アクセスおよびモビリティ管理機能エンティティ（ＡＭＦ）において、ユーザ機器（ＵＥ）によって送信される登録要求メッセージを受信するステップであって、登録要求メッセージは、１つまたは複数のＰＤＵセッションがユーザプレーン（ＵＰ）リソースを必要とすることを示し、ＵＰリソースを必要とするＰＤＵセッションの各々を識別する情報を含む、受信するステップと、登録要求メッセージの受信に応答して、ＡＭＦが、ＵＰリソースを必要とするＰＤＵセッションのうちの少なくとも１つについてＵＰリソースを確立することをＳＭＦに要求するためのＵＰリソース要求メッセージを、セッション管理機能（ＳＭＦ）に送信するステップと、を伴う。方法は、ＵＰリソース要求メッセージの受信に応答して、ＳＭＦがＵＰ機能再配置をトリガすることをさらに含む。
【００１０】
さらに、登録要求メッセージは、ＵＥが登録された状態にあり、モビリティに起因して登録を開始していることを示す登録タイプ識別子（ＩＤ）を備えることができる。方法は、ＵＰリソース要求メッセージに応答して、ＳＭＦによって送信されるセッション管理（ＳＭ）情報を受信するステップをさらに含むことができ、ＳＭ情報はＮ２  ＳＭ情報であり、ＡＭＦはＵＥをサーブするアクセスノードに、Ｎ２  ＰＤＵセッション要求メッセージを送信し、メッセージはセッション管理情報を含む。Ｎ２  ＳＭ情報は、サービス品質（ＱｏＳ）を示す情報およびトンネルエンドポイント情報を含む。
【００１１】
ＵＰリソースを必要とする識別されたＰＤＵセッションのためのＵＰリソースは、無線インターフェース上のデータ無線ベアラ（ＤＲＢ）、および、ＵＰ機能とＵＥをサーブするアクセスノードとの間のＵＰトンネルを含む。登録要求メッセージは、ネットワークがＵＥとのシグナリング接続を維持することをＵＥが要求していることを示す、継続フラグを含む。方法は、シグナリング接続が維持されることをＵＥが要求したことを示す情報（たとえば、ローカルフラグ）をＡＭＦが記憶するステップと、ＵＥをサーブしている無線アクセスネットワーク（ＲＡＮ）のノードにＡＭＦが情報を送るステップとを、さらに含むことが可能であり、ノードに送られる情報は、シグナリング接続が維持されることをＵＥが要求したことを示す。
【００１２】
別の実施形態において、プロトコルデータユニット（ＰＤＵ）セッション管理のためにアクセスおよびモビリティ管理機能エンティティ（ＡＭＦ）が提供され、ＡＭＦは、データ処理システム、データ記憶システム、およびネットワークインターフェースを含み、データ処理システムは、ユーザ機器（ＵＥ）によって送信される登録要求メッセージを、ネットワークインターフェースを介して受信するためであって、登録要求メッセージは、１つまたは複数のＰＤＵセッションがユーザプレーン（ＵＰ）リソースを必要とすることを示し、ＵＰリソースを必要とするＰＤＵセッションの各々を識別する情報を含む、受信するため、および、登録要求メッセージの受信に応答して、ＵＰリソースを必要とする識別されたＰＤＵセッションのうちの少なくとも１つについてＵＰリソースを確立することをＳＭＦに要求するためのＵＰリソース要求メッセージを、ネットワークインターフェースを介してセッション管理機能（ＳＭＦ）に送信するために、データ記憶システムに記憶されるコンピュータ可読命令を実行するように適合される。
【００１３】
さらに別の実施形態では、ユーザ機器（ＵＥ）において、プロトコルデータユニット（ＰＤＵ）セッション管理のための方法が提供され、方法は、ユーザ機器（ＵＥ）によって、１つまたは複数のＰＤＵセッションがユーザプレーン（ＵＰ）リソースを必要としていることを決定すること、ＵＥによって、登録要求メッセージを送信することが必要であることを決定すること、および、ａ）登録要求メッセージを送信することが必要であること、およびｂ）１つまたは複数のＰＤＵセッションがＵＰリソースを必要としていることを決定した後、ＵＥが登録要求メッセージを送信することであって、登録要求メッセージは、１つまたは複数のＰＤＵセッションがＵＰリソースを必要としていることを示す情報を含む、送信すること、を含む。
【００１４】
ＵＥの方法において、登録要求メッセージは、登録タイプを識別するための登録タイプ識別子（ＩＤ）、ＵＥ  ＩＤ、セキュリティパラメータ、ネットワークスライス選択支援情報、および、Ｎｅｔｗｏｒｋ  Ｓｌｉｃｅ  Ｓｅｌｅｃｔｉｏｎ  Ａｓｓｉｓｔａｎｃｅ  Ｉｎｆｏｒｍａｔｉｏｎ（ＮＳＳＡＩ）を、さらに含むことができる。登録要求メッセージは、ＵＥが登録された状態にあり、モビリティに起因して登録を開始していることを示す登録タイプ識別子をさらに含むことができる。識別されたＰＤＵセッションについてのＵＰリソースは、無線インターフェースおよびＵＰトンネル上のデータ無線ベアラ（ＤＲＢ）を含む。
【００１５】
登録要求メッセージは、ネットワークがＵＥとのシグナリング接続を維持することをＵＥが要求していることを示す継続フラグを、さらに含むことができる。
【００１６】
さらに別の実施形態が提供され、ユーザ機器（ＵＥ）は、データ処理システム、データ記憶システム、アンテナに結合された無線送信器および受信器を備え、データ処理システムは、１つまたは複数のプロトコルデータユニット（ＰＤＵ）セッションがユーザプレーン（ＵＰ）リソースを必要としていることを決定するため、無線送信器を使用して登録要求メッセージを送信することが必要であることを決定するため、および、ａ）登録要求メッセージを送信することが必要であること、およびｂ）１つまたは複数のＰＤＵセッションがＵＰリソースを必要としていることを決定した後、無線送信器を使用して登録要求メッセージを送信するためであって、登録要求メッセージは、１つまたは複数のＰＤＵセッションがＵＰリソースを必要としていることを示す情報を含む、送信するために、コンピュータ可読命令を実行するように適合される。
【００１７】
本明細書で開示される実施形態によって提供される利点は、ネットワークが、ＵＥによって送信される登録要求メッセージ内に示されるＰＤＵセッションのためのＵＰデータの転送を実行可能にするように、ＵＰリソースを設定できることである。
【００１８】
本明細書に組み込まれ本明細書の一部を形成する添付の図面は、様々な実施形態を図示している。
【図面の簡単な説明】
【００１９】
【図１】例示的な次世代通信構造を示す図である。
【図２】一実施形態に従ったプロセスを示す、メッセージフロー図である。
【図３】一実施形態に従ったプロセスを示す、フローチャートである。
【図４】一実施形態に従ったプロセスを示す、フローチャートである。
【図５】いくつかの実施形態に従ったＡＭＦを示すブロック図である。
【図６】いくつかの実施形態に従ったＵＥを示すブロック図である。
【図７】いくつかの実施形態に従ったＡＭＦの機能モジュールを示す図である。
【図８】いくつかの実施形態に従ったＵＥの機能モジュールを示す図である。
【図９】一実施形態に従ったプロセスを示すフローチャートである。
【図１０】一実施形態に従ったプロセスを示すフローチャートである。
【図１１】一実施形態に従ったプロセスを示すフローチャートである。
【発明を実施するための形態】
【００２０】
前述のように、ユーザ機器（ＵＥ）１０２は登録を必要とするサービスを受信するためにネットワークに登録する必要がある。次に図１を参照すると、図１は例示的５Ｇ通信システム１００を示す。５Ｇ通信システム１００は、２地点間基準ポイント表現を示す。図１において、ネットワークのいくつかのノードおよび機能が示されている。ユーザ機器（ＵＥ）１０２は、無線アクセスネットワークノード（ＲＡＮ）１０８を介してネットワークに接続する。ＲＡＮは、たとえば基地局、ノードＢまたはｅノードＢであり得る。ＵＥは、モバイルフォン、たとえばスマートフォン、または、モノのインターネット（ＩｏＴ）デバイス、マシン間デバイス、車両、センサ、コンピュータ、ラップトップなどの、無線通信機能を伴う何らかの他のタイプのユニットであり得ることに留意されたい。次にＲＡＮ  １０８は、ユーザプレーン機能（ＵＰＦ）１１２、アクセスおよびモビリティ管理機能（ＡＭＦ）１０４、セッション管理機能（ＳＭＦ）１０６、ポリシー制御機能（ＰＣＦ）１２０を備える、コアネットワークに接続される。さらにネットワークは、認証サーバ機能（ＡＵＳＦ）１２１、統一データ管理ノード（ＵＤＭ）１２２、アプリケーション機能（ＡＦ）１２３、および外部データネットワーク（ＤＮ）１２４への接続を備えることができる。これらのノード／機能は、図１に示されるように異なるインターフェースＮＧ１〜ＮＧ１５と相互接続され、インターフェースはＮ１からＮ１５によって示すこともできることに留意されたい。
【００２１】
すべてのノードおよび機能は、別々のノードとして物理的に配置され得るか、または、他のノード／機能と共に異なるノードに部分的に組み込むことができるが、例示の目的で別のエンティティとして示され得ることに留意されたい。
【００２２】
登録手順は、（１）ＵＥ  １０２が最初に５Ｇシステムに登録するとき、（２）ＵＥ  １０２がモビリティに起因して登録手順を開始するとき、たとえば、ＵＥ  １０２がアイドルモードで新規の登録エリア（たとえば、新規の追跡エリア（ＴＡ））に変更するとき、（３）ＵＥ  １０２が、事前に規定された不活動の期間の満了に起因して定期的更新を実行するとき、などの状況において利用される。
【００２３】
初期の登録の間に、ＵＥ  １０２からモバイル機器（ＭＥ）識別が取得される。アクセスおよびモビリティ管理機能（ＡＭＦ）１０４オペレータは、ＥＩＲを用いてＭＥ識別をチェックすることができる。その後、ＡＭＦ  １０４は、ＭＥ識別（ＩＭＥＩＳＶ）を、統一データ管理（ＵＤＭ）、セッション管理機能（ＳＭＦ）１０６、およびポリシー制御機能（ＰＣＦ）に渡す。
【００２４】
図２は、一実施形態に従ったＵＥ登録プロセス２００を示すメッセージフロー図である。
【００２５】
ステップ１において、ＵＥ  １０２は、ＲＡＮ  １０８に登録要求メッセージを送信する。一実施形態において、登録要求メッセージは、登録タイプを識別するための登録タイプ識別子（ＩＤ）、ＵＥ  ＩＤ（たとえば、永続ＩＤまたは一時ＩＤ）、セキュリティパラメータ、ネットワークスライス選択支援情報（ＮＳＳＡＩ）、ＵＥ  ５ＧＣＮ機能情報、ＰＤＵセッション状態情報、ならびに、永続ＩＤまたは一時ＩＤ、選択されたネットワーク、およびＮＳＳＡＩを示す無線リソース制御（ＲＲＣ）パラメータを含むことができる。登録タイプＩＤは、ＵＥ  １０２が「初期登録」（すなわち、ＵＥ  １０２が非登録状態にある）、「モビリティ登録」（すなわち、ＵＥ  １０２が登録状態にあり、モビリティに起因して登録を開始する）、または「定期的登録」（すなわち、ＵＥ  １０２が登録状態にあり、定期的更新タイマ満了に起因して登録を開始する）を、実行することを望むかどうかを示す。
【００２６】
有利には、登録要求メッセージは、データ無線ベアラおよびＵＰ機能（ＵＰＦ）とＲＡＮとの間のトンネルなどの、ユーザプレーン（ＵＰ）リソースを必要とする、１つまたは複数のプロトコルデータユニット（ＰＤＵ）セッションを識別する情報を、さらに含むことができる。一実施形態において、ＵＥ  １０２は、登録要求メッセージ内にアクティブフラグを伴うＵＰリソースの確立を必要とする、ＰＤＵセッションをマーク付けする。いくつかの実施形態において、マーク付けされたＰＤＵセッションは、ＵＤ  １０２がネットワークに送信するためのＵＰデータを有するため、ＵＰリソースの確立を必要とする。たとえば、登録要求メッセージは、Ｎビットの第１の順序付きセット（すなわち、「ビットマップ」）を含むことができ、Ｎビットのうちの各ビットは、ＵＰリソースを必要とすることが可能なＮ個の可能なＰＤＵセッションのうちのそれぞれに対応する（たとえば、文字列内の第１のビットは第１のＰＤＵセッションに対応し、文字列内の第２のビットは第２のＰＤＵセッションに対応するなど）。いくつかの実施形態において、Ｎは、ＵＥによってアクティブと見なされるＰＤＵセッションの合計数（たとえば、Ｎ＝３）に等しいが、他の実施形態では、Ｎは、ＵＥ内の可能なアクティブＰＤＵセッションの合計数（たとえば、Ｎ＝１６）に等しい。ビット文字列内の各ビットの値は、ビットに対応するＰＤＵセッションがＵＰリソースを必要とするかどうかを示す（たとえば、ビットｎが１の値に設定された場合、このビットに対応するＰＤＵセッションはＵＰリソースを必要とするが、ビットｎが０の値に設定された場合、対応するＰＤＵセッションはＵＰリソースを必要としない）。このようにして、ＵＥは、ＵＰリソースを必要とするＰＤＵセッションの識別をネットワークにシグナリングすることができる。
【００２７】
さらに、たとえばＵＥは、ネットワークに送るための追加のメッセージ（たとえば、ＰＤＵセッション確立メッセージ）を有するため、登録要求メッセージは、ＵＥ  １０２が「継続」を要求していること、すなわち、ＵＥが、登録手順が完了した後、ＵＥとのシグナリング接続を維持するようにネットワークに要求していることを示す情報（たとえば、フラグ）を、含むこともできる。
【００２８】
ステップ２において、登録要求メッセージが、有効ＡＭＦを示さないＩＤ（永続または一時）を含む場合、ＲＡＮ  １０８は、利用可能であれば、無線アクセス技術（ＲＡＴ）およびＮＳＳＡＩに基づいて、ＡＭＦ  １０４を選択する。
【００２９】
ステップ３において、ＲＡＮ  １０８は、登録要求メッセージをＡＭＦ  １０４に送信する。一実施形態において、ＡＭＦ  １０４に送信される登録要求メッセージは、ロケーション情報、セル識別、およびＲＡＴタイプをさらに含む。ロケーション情報、セル識別、およびＲＡＴタイプは、ＵＥが配置されるセルに関係する。
【００３０】
ステップ４において、登録要求メッセージがＵＥの一時ＩＤを含み、サービングＡＭＦ  １０４が最終登録以降に変更されている場合、ＡＭＦ  １０４は情報要求を旧ＡＭＦに送信することができる。情報要求は、ＵＥの永続ＩＤおよびモビリティ管理（ＭＭ）コンテキストを要求するために、完全な登録要求メッセージＩＥを含む。
【００３１】
ステップ５において、ＡＭＦ  １０４によって送信された情報要求に応答して、旧ＡＭＦは情報応答によって応答する。情報応答は、永続ＩＤ、ＭＭコンテキスト、およびＳＭＦ情報を含む。いくつかの実施形態において、旧ＡＭＦは、アクティブＰＤＵセッションに関する情報を記憶している。旧ＡＭＦがアクティブＰＤＵセッションに関する情報を記憶している場合、ＡＭＦ  １０４がＰＤＵセッションをＳＭＦにマッピングできるように、旧ＡＭＦは、情報応答内にＳＭＦ識別および対応するＰＤＵセッション識別を含む、ＳＭＦ情報を含む。
【００３２】
ステップ６において、永続ＩＤがＵＥ  １０２によって提供されないか、または情報応答において旧ＡＭＦから取り出されない場合、識別要求メッセージをＵＥ  １０２に送信する識別要求手順がＡＭＦ  １０４によって開始される。
【００３３】
ステップ７において、識別要求メッセージに応答して、ＵＥ  １０２は、永続ＩＤを含む識別応答メッセージによってＡＭＦ  １０４に応答する。
【００３４】
ステップ８において、登録要求メッセージが完全性保護と共に送られない場合、または、情報応答（ステップ５）に含まれる永続ＩＤに基づいて完全性保護が失敗として示される場合、ＡＭＦ  １０４はＡＵＳＦを選択する。
【００３５】
ステップ９において、登録要求メッセージが完全性保護と共に送られないため、または、完全性保護が失敗として示されるため、ＡＭＦ  １０４がＡＵＳＦを選択する場合、ＡＵＳＦは、ＵＥ  １０２の認証およびＮＡＳセキュリティ機能を開始する。登録要求メッセージに対するセキュリティが確立されると、ＡＭＦ  １０４はＵＥ  １０２からＩＭＥＩをフェッチすることができる。
【００３６】
ステップ１０において、ＵＥ  １０２によってＭＥ識別が登録要求メッセージ内で提供されない場合、または情報応答において旧ＡＭＦから取り出されない場合、ＡＭＦ  １０４は、ＵＥのＭＥ識別を取り出すために、ＵＥ  １０２に識別要求を送信する。
【００３７】
ステップ１１において、いくつかの実施形態では、ＡＭＦはＭＥ識別チェックを開始する。
【００３８】
ステップ１１ａにおいて、ＡＭＦ  １０４は要求（たとえば、Ｎ１１要求）をＳＭＦ  １０６に送る。ＡＭＦ  １０４が変更された場合、ＡＭＦ  １０４は、ＵＥ  １０２をサーブする新規ＡＭＦ  １０４を各ＳＭＦ  １０６に通知する（すなわち、ＡＭＦ  １０４は各ＳＭＦに要求を送る）。新規ＡＭＦ  １０４は、旧ＡＭＦから受信したＳＭＦ情報と共に、ＵＥ  １０２から受信したＰＤＵセッション状態を検証する。ＡＭＦ  １０４が変更されていない場合、ＡＭＦ  １０４は、使用可能ＳＭＦ情報と共にＵＥ  １０２から受信したＰＤＵセッション状態を検証する。ＡＭＦ  １０４が、ＵＥ  １０２内のアクティブＰＤＵセッションを決定した後、ＡＭＦ  １０４は、ＵＥ  １０２内のアクティブでないＰＤＵセッションに関するいずれのネットワークリソースも解放する。
【００３９】
加えて、登録要求メッセージが、１つまたは複数のＰＤＵセッションがＵＰリソースを必要とすることを示す場合、こうしたＰＤＵセッションの各々について、ＡＭＦ  １０４は、ＳＭＦにＰＤＵセッションのためのＵＰリソースを確立させるために、ＰＤＵセッションをハンドリングする責務を負うＳＭＦに、ＵＰリソース要求を送信する。たとえば、登録要求メッセージが、ＳＭＦ  １０６によってハンドリングされているＰＤＵセッションがＵＰリソースを必要とすることを示す場合、ステップ１１ａにおいてＳＭＦ  １０６に送られる要求は、ＵＰリソース要求をさらに含むことになる。
【００４０】
ステップ１１ｂにおいて、ＵＰリソース要求に応答して、ＳＭＦ  １０６はＵＰリソース応答（たとえば、Ｎ１１応答）を送信する。いくつかの実施形態において、ＳＭＦ  １０６はＵＰＦ再配置をトリガすることを決定する。いくつかの実施形態において、ＳＭＦ  １０６はＵＰリソース応答（たとえば、Ｎ１１応答）においてＳＭ情報（たとえば、Ｎ２  ＳＭ情報）を提供する。ＳＭ情報は、サービス品質（ＱｏＳ）サービス情報と、無線アクセスネットワーク（ＲＡＮ）とＵＰＦとの間にトンネルを確立するためのトンネルエンドポイント情報とを含むことができる。いくつかの実施形態において、ＳＭＦは、ＡＭＦが具体的に要求内で要求した場合にのみ、応答内でＳＭ情報を提供する。
【００４１】
ステップ１２において、いくつかの実施形態では、ＡＭＦ  １０４はＵＥ  １０２の永続ＩＤに基づいてＵＤＭを選択する。
【００４２】
ステップ１３において、ＡＭＦ  １０４は、（１）ＡＭＦ  １０４が最終登録以降に変更された場合、（２）ＡＭＦ  １０４において、ＵＥ  １０２について有効な加入コンテキストが存在しない場合、または、（３）ＵＥ  １０２が、ＡＭＦ  １０４における有効なコンテキストを示していない永続ＩＤを提供する場合、ロケーション更新手順を開始する。ロケーション更新手順が開始されたとき、ＵＤＭは、使用可能であれば、旧ＡＭＦに対するロケーション取消を開始する。ロケーション取消に応答して、旧ＡＭＦは関連するＭＭコンテキストを除去し、すべての可能な関連ＳＭＦに通知する。いくつかの実施形態において、ＵＤＭとＰＣＦの間の対話は、モビリティ制約関係情報を含む。
【００４３】
ステップ１４において、いくつかの実施形態では、ＡＭＦ  １０４はＵＥ  １０２の永続ＩＤに基づいてＰＣＦを選択する。
【００４４】
ステップ１５において、いくつかの実施形態では、ＡＭＦ  １０４は、ＵＥ  １０２のためのオペレータポリシーを適用するために、ＵＥコンテキスト確立要求をＰＣＦに送信する。
【００４５】
ステップ１６において、ＰＣＦは、ＡＭＦ  １０４へのＵＥコンテキスト確立確認によって、ＵＥコンテキスト確立要求に応答する。
【００４６】
ステップ１７において、いくつかの実施形態では、旧ＡＭＦはＵＥコンテキスト終了要求をＰＣＦに送信する。
【００４７】
ステップ１８において、ＰＣＦは、旧ＡＭＦへのＵＥコンテキスト終了確認によって、ＵＥコンテキスト終了要求に応答する。
【００４８】
ステップ１９において、ＡＭＦ  １０４は、ＵＥコンテキストセットアップ（アクセス層（ＡＳ）セキュリティコンテキスト情報）をＲＡＮ  １０８に送信する。ステップ１１ｂにおいて、ＡＭＦがＳＭＦ  １０６からＳＭ情報を受信した場合、このＳＭ情報およびＮ２  ＰＤＵセッション要求（サービス品質（ＱｏＳ）、トンネル情報など）は、ＵＥコンテキストセットアップに含められる。
【００４９】
ＡＭＦ  １０４が（新規）ロケーションにおけるＵＥ  １０２の存在を検証し、すべてのチェックが正常であり、ＵＥがＰＤＵセッションを、ＵＰリソースを必要とするか、または継続を要求したものとしてマーク付けした場合、接続は維持され、ＡＭＦは、ＲＡＮに送られたＵＥコンテキストセットアップメッセージ内にアクセス層（ＡＳ）セキュリティコンテキスト情報を提供することによって、ＵＥへのセキュア接続をセットアップするようにＲＡＮに要求する。
【００５０】
いくつかの実施形態において、ＡＭＦ  １０４は、ＵＥが現在のロケーションで登録できない場合、適切な拒絶原因を用いて登録要求メッセージを拒絶する。
【００５１】
ステップ１９ａにおいて、ＵＥコンテキストセットアップ要求がＰＤＵセッション要求を含む場合、ＲＡＮ  １０８は、ステップ１９で受信したＰＤＵセッション要求についてデフォルト無線ベアラ（ＤＲＢ）を確立するために、ＵＥ  １０２とのＲＲＣ接続再設定を実行する。
【００５２】
ステップ２０において、ＡＭＦ  １０４は、登録要求メッセージが受諾されたことを示す登録受諾メッセージをＵＥ  １０２に送られる。一実施形態において、登録受諾メッセージは、一時ＩＤ、登録エリア、モビリティ制約、およびＰＤＵセッション状態を含む。ＡＭＦ  １０４は、ＰＤＵセッション状態をＵＥ  １０２に示す。したがって、ＵＥは、受信したＰＤＵセッション状態についてアクティブであるとマーク付けされなかったＰＤＵセッションに関する、いずれの内部リソースも除去する。ＰＤＵセッション状態情報が登録要求メッセージ内にあった場合、ＡＭＦ  １０４は、対応するＰＤＵセッション状態をＵＥ  １０２に示す。いくつかの実施形態において、ＡＭＦ  １０４がＵＥ  １０２に新しい一時ＩＤを割り振る場合、登録受諾メッセージは一時ＩＤを含む。いくつかの実施形態において、モビリティ制約がＵＥ  １０２に適用される場合、登録受諾メッセージはモビリティ制約を含む。
【００５３】
ステップ２１において、登録受諾メッセージに応答して、ＵＥ  １０２は登録完了メッセージをＡＭＦ  １０４に送信する。新しい一時ＩＤが登録受諾メッセージ内に含まれる場合、登録完了メッセージは、新規一時ＩＤが割り当てられたことをＡＭＦ  １０４に確認する。
【００５４】
図３は、一実施形態に従った、ＰＤＵセッション管理のためにＡＭＦ  １０４によって実行されるプロセス３００を示すフローチャートである。
【００５５】
プロセス３００は、ＡＭＦ  １０４が、ＵＥ  １０２によって送信された登録要求メッセージを受信する、ステップ３０２で開始され得、登録要求メッセージは、ＵＰリソースを必要とするＰＤＵセッションを識別する情報を含む。
【００５６】
ステップ３０４において、登録要求メッセージの受信に応答して、ＡＭＦ  １０４は、識別されたＰＤＵセッションのためのＵＰリソースを確立するためにＳＭＦ  １０６を要求するための、ＵＰリソース要求メッセージをＳＭＦ  １０６に送信する。
【００５７】
いくつかの実施形態において、ＵＰリソース要求メッセージの受信に応答して、ＳＭＦ  １０６はＵＰ機能再配置をトリガする。
【００５８】
いくつかの実施形態において、ＡＭＦ  １０４は、ＵＰリソース要求メッセージに応答して、ＳＭＦ  １０６によって送信されたセッション管理情報（たとえば、Ｎ２  ＳＭ情報）をさらに受信する。
【００５９】
いくつかの実施形態において、ＡＭＦ  １０４はＵＥ  １０２をサーブするアクセスノード１０８にメッセージ（たとえば、Ｎ２  ＰＤＵセッション要求）を送信し、メッセージはセッション管理情報（たとえば、Ｎ２  ＳＭ情報）を含む。
【００６０】
いくつかの実施形態において、セッション管理情報（たとえば、Ｎ２  ＳＭ情報）は、サービス品質（ＱｏＳ）およびトンネルエンドポイント情報を示す情報を含む。
【００６１】
いくつかの実施形態において、識別されたＰＤＵセッションのためのＵＰリソースは、無線インターフェース上のデータ無線ベアラ（ＤＲＢ）、およびＵＰ機能とＵＥ  １０２をサーブするアクセスノード１０８との間のＵＰトンネルを含む。
【００６２】
図４は、一実施形態に従った、ＰＤＵセッション管理のためにＵＥ  １０２によって実行されるプロセス４００を示すフローチャートである。
【００６３】
プロセス４００は、ＵＥ  １０２が、ＵＰリソースを必要とする第１のＰＤＵセッションを決定するステップ４０２で開始され得る。
【００６４】
ステップ４０４において、ＵＥは、登録要求メッセージを送信する必要があることを決定する（たとえば、ＵＥはモビリティ登録を実行する必要があることを決定する）。いくつかの実施形態において、ステップ４０４は、第１のＰＤＵセッションがＵＰリソースを必要とすることをＵＥが決定した結果として実行される。他の実施形態において、ステップ４０４は、定期的に（たとえば、ステップ４０２の前に）実行される。いくつかの実施形態において、登録要求メッセージを送信する必要があることをＵＥが決定するステップは、ＵＥが新しい登録エリア内に移動した（たとえば、ＵＥが以前に登録されていた登録エリアの外へＵＥが移動した）ことをＵＥが決定することを含む。
【００６５】
ステップ４０６において、ＵＥ  １０２は、ｉ）第１のＰＤＵセッションがＵＰリソースを必要としていること、およびｉｉ）登録要求メッセージを送信する必要があることを、決定した後、登録要求メッセージを送信する。登録要求メッセージは、第１のＰＤＵセッションがＵＰリソースを必要とすることを示す情報を含む。
【００６６】
いくつかの実施形態において、ＵＥは、第２のＰＤＵセッションもＵＰリソースを必要としていることをさらに決定し得、ステップ４０６において送信された登録要求メッセージは、第１および第２の両方のＰＤＵセッションがＵＰリソースを必要としていることを示す情報を含む。
【００６７】
たとえば、いくつかの実施形態において、ＵＥはプロセス９００（図９を参照のこと）を実行し、プロセスは、１）ＵＥが新しい登録エリア内に移動したかどうかを定期的に決定すること（ステップ９０２）（すなわち、登録要求メッセージを送る必要があることを決定すること）、新しい登録エリア内に移動したものと決定した結果として、ＵＥは登録要求メッセージを生成すること（ステップ９０４）、登録要求メッセージを送信すること（ステップ９０６）を含み、登録要求メッセージを生成するステップは、ＵＥが送るためのアップリンク（ＵＬ）データを有するかどうかをＵＥが決定することを含み（ステップ９０４ａ）、有する場合、ＵＥは、登録要求メッセージ内に、ＰＤＵセッションがＵＰリソースを必要とすることを示し、当該ＰＤＵセッションを識別する情報を含む。
【００６８】
いくつかの実施形態において、登録要求メッセージは登録タイプ識別子を含む。登録タイプＩＤは、（１）ＵＥ  １０２が非登録状態にあり、初期登録を要求していること、（２）ＵＥ  １０２が登録状態にあり、モビリティに起因して登録を開始していること、および（３）ＵＥ  １０２が登録状態にあり、定期的更新タイマの満了に起因して登録を開始していること、のうちの１つを示す。
【００６９】
いくつかの実施形態において、識別されたＰＤＵセッションのためのＵＰリソースは、無線インターフェース上のデータ無線ベアラ（ＤＲＢ）、および、ＵＰ機能とＵＥ  １０２をサーブするアクセスノード１０８との間のＵＰトンネルを含む。
【００７０】
図９は、いくつかの実施形態に従ったプロセス９００を示すフローチャートである。
【００７１】
Ｇ１．プロセス９００は、ＵＥが新しい登録エリア内に移動したかどうかをＵＥ（１０２）が決定すること（ステップ９０２）、および、ＵＥが新しい登録エリア内に移動したものと決定した結果として、ＵＥは登録要求メッセージを生成すること（９０４）、および、登録要求メッセージを送信すること（９０６）を含み、登録要求メッセージを生成するステップは、ＵＥが送るためのアップリンク（ＵＬ）データを有するかどうかをＵＥが決定することを含み（９０４ａ）、データを有する場合、ＵＥは登録要求メッセージ内に、ｉ）ＰＤＵセッションがＵＰリソースを必要とすることを示し、ｉｉ）当該ＰＤＵセッションを識別する情報を含む（９０４ｂ）。
【００７２】
図１０は、いくつかの実施形態に従ったプロセス１０００を示すフローチャートである。プロセス１０００は、ＡＭＦ（１０４）がＵＥ（１０２）によって送信された登録要求メッセージを受信すること、および、ＡＭＦ（１０４）が、登録要求メッセージがＵＥとのシグナリング接続を維持することをＵＥが要求していることを示す情報（たとえば、継続フラグ）を含むかどうかを決定すること、を含む。ステップ１００２において、ＡＭＦはＵＥから登録要求を受信する。ステップ１００４において、ＡＭＦは、登録要求メッセージがＵＥとのシグナリング接続を維持することをＵＥが要求していることを示す情報（たとえば、継続フラグ）を含むかどうかを決定する。さらに、ステップ１００６に示されるように、ＡＭＦは、シグナリング接続が維持されることをＵＥが要求した旨の情報を記憶することが可能であり、シグナリング接続が維持されることをＵＥが要求したことを示す情報を、ＲＡＮをサーブするノードに送ることが可能である。ステップ１００８において、ＲＡＮのノードは、ＡＭＦによって送られた情報を受信した結果として、ＵＥのための不活動タイマを増加させることができる。ＲＡＮのノードは、ステップ１０１０に示されるように、ＵＥのために接続されたモードモビリティを実行可能にするために、ＡＳセキュリティを有効にすることができる。
【００７３】
図１１は、いくつかの実施形態に従ったプロセス１１００を示すフローチャートである。プロセス１１００は、ＵＥがネットワークに登録する必要があることをＵＥ（１０２）が決定すること（１１０２）、および、ＵＥがネットワークに登録する必要がある旨の決定の結果として、ＵＥは登録要求メッセージを生成すること（１１０４）、および、登録要求メッセージをネットワークに送信すること（１１０６）を含み、登録要求メッセージを生成することは、ネットワークがＵＥとのシグナリング接続を維持することをＵＥが要求していることを示す情報（たとえば、継続フラグ）を、登録要求メッセージに含めることを含む（１１０４ｂ）。
【００７４】
図５は、いくつかの実施形態に従ったＡＭＦ  １０４のブロック図である。図５に示されるように、ＡＭＦ  １０４は、１つまたは複数のプロセッサ５５５（たとえば、汎用マイクロプロセッサ、および／または、特定用途向け集積回路（ＡＳＩＣ）、フィールドプログラマブルゲートアレイ（ＦＰＧＡ）などの１つまたは複数の他のプロセッサ）を含み得る、データ処理システム（ＤＰＳ）５０２と、ＡＭＦ  １０４が他の説明した機能（たとえば、ＳＭＦ  １０６）およびＲＡＮ１０８と通信可能なように、ＡＭＦ  １０４をネットワーク１１０に接続する際に使用するためのネットワークインターフェース５０５と、１つまたは複数の不揮発性記憶デバイス、および／または、１つまたは複数の揮発性記憶デバイス（たとえば、ランダムアクセスメモリ（ＲＡＭ））を含み得る、ローカル記憶ユニット（別名「データ記憶システム」）５０８と、を備えることができる。ＡＭＦ  １０４が汎用マイクロプロセッサを含む実施形態において、コンピュータプログラム製品（ＣＰＰ）５４１が提供可能である。ＣＰＰ  ５４１は、コンピュータ可読命令（ＣＲＩ）５４４を含むコンピュータプログラム（ＣＰ）５４３を記憶するコンピュータ可読媒体（ＣＲＭ）５４２を含む。ＣＲＭ  ５４２は、磁気媒体（たとえば、ハードディスク）、光媒体（たとえば、ＤＶＤ）、メモリデバイス（たとえば、ランダムアクセスメモリ）などであるが、限定されない、持続性コンピュータ可読媒体であり得る。いくつかの実施形態において、コンピュータプログラム５４３のＣＲＩ  ５４４は、データ処理システム５０２によって実行されるとき、ＣＲＩがＡＭＦ  １０４に上記のステップ（たとえば、フローチャートを参照しながら上記で説明したステップ）を実行させるように設定される。他の実施形態において、ＡＭＦ  １０４は、コードの必要なしに本明細書で説明するステップを実行するように設定され得る。すなわち、たとえばデータ処理システム５０２は、単に１つまたは複数のＡＳＩＣで構成され得る。したがって、本明細書で説明する実施形態の特徴は、ハードウェアおよび／またはソフトウェアにおいて実装可能である。
【００７５】
図６は、いくつかの実施形態に従ったＵＥ  １０２のブロック図である。図６に示されるように、ＵＥ  １０２は、１つまたは複数のプロセッサ６５５（たとえば、汎用マイクロプロセッサ、および／または、特定用途向け集積回路（ＡＳＩＣ）、フィールドプログラマブルゲートアレイ（ＦＰＧＡ）などの１つまたは複数の他のプロセッサ）を含み得る、データ処理システム（ＤＰＳ）６０２と、無線アクセスネットワーク（ＲＡＮ）ノード（たとえば、Ｔｘ／Ｒｘポイント（ＴＲＰ））と無線通信する際に使用するためのアンテナ６２２に結合された、無線送信器６０５および無線受信器６０６と、１つまたは複数の不揮発性記憶デバイス、および／または、１つまたは複数の揮発性記憶デバイス（たとえば、ランダムアクセスメモリ（ＲＡＭ））を含み得る、ローカル記憶ユニット（別名「データ記憶システム」）６０８と、を備えることができる。ＵＥ  １０２が汎用マイクロプロセッサを含む実施形態において、コンピュータプログラム製品（ＣＰＰ）６４１が提供可能である。ＣＰＰ  ６４１は、コンピュータ可読命令（ＣＲＩ）６４４を含むコンピュータプログラム（ＣＰ）６４３を記憶するコンピュータ可読媒体（ＣＲＭ）６４２を含む。ＣＲＭ  ６４２は、磁気媒体（たとえば、ハードディスク）、光媒体（たとえば、ＤＶＤ）、メモリデバイス（たとえば、ランダムアクセスメモリ）などであるが、限定されない、持続性コンピュータ可読媒体であり得る。いくつかの実施形態において、コンピュータプログラム６４３のＣＲＩ  ６４４は、データ処理システム６０２によって実行されるとき、ＣＲＩがＵＥ  １０２に上記のステップ（たとえば、フローチャートを参照しながら上記で説明したステップ）を実行させるように設定される。他の実施形態において、ＵＥ  １０２は、コードの必要なしに本明細書で説明するステップを実行するように設定され得る。すなわち、たとえばデータ処理システム６０２は、単に１つまたは複数のＡＳＩＣで構成され得る。したがって、本明細書で説明する実施形態の特徴は、ハードウェアおよび／またはソフトウェアにおいて実装可能である。
【００７６】
図７は、いくつかの実施形態に従ったＡＭＦ  １０４の機能モジュールを示す図である。図７の実施形態に示されるように、ＡＭＦ  １０４は、ＵＥ  １０２によって送信された登録要求メッセージを受信器を介して取得するように設定された、第１の取得モジュール７０２であって、登録要求メッセージはＵＰリソースを必要とするＰＤＵセッションを識別する情報を含む、第１の取得モジュール７０２と、登録要求メッセージの受信に応答して、識別されたＰＤＵセッションのためのＵＰリソースを確立するようにＳＭＦ  １０６に要求するためのＵＰリソース要求メッセージをＳＭＦ  １０６に送信するために、送信器を採用するように設定された、第１の送信モジュール７０４と、ＵＰリソース要求メッセージに応答して、ＳＭＦ  １０６によって送信されるセッション管理情報（たとえば、Ｎ２  ＳＭ情報）を、受信器を介して取得するように設定された、第２の取得モジュール７０６と、ＵＥ  １０２をサーブするアクセスノード１０８に、メッセージ（たとえば、Ｎ２  ＰＤＵセッション要求）を送信するために、送信器を採用するように設定された、第２の送信モジュール７０８であって、メッセージはセッション管理情報（たとえば、Ｎ２  ＳＭ情報）を含む、第２の送信モジュール７０８と、を含む、いくつかの機能モジュールを備える。一実施形態におけるモジュール７０２〜７０８は、ソフトウェア命令を介して実行可能であり得、別の実施形態においてはＡＳＩＣおよびＤＳＰなどのハードウェアを介して、およびさらなる実施形態においてはハードウェアおよびソフトウェアの混合を介して、実行可能であり得ることを理解されたい。
【００７７】
図８は、いくつかの実施形態に従ったＵＥ  １０２の機能モジュールを示す図である。図８の実施形態に示されるように、ＵＥ  １０２は、ＵＰリソースを必要とする第１のＰＤＵセッションを決定するように設定された、決定モジュール８０２と、登録要求メッセージを送信するために送信器を採用するように設定された、第１の送信モジュール８０４であって、登録要求メッセージは、ＵＰリソースを必要とする第１のＰＤＵセッションを識別する情報を含む、第１の送信モジュール８０４と、を含む、いくつかの機能モジュールを備える。一実施形態において、モジュール８０２〜８０４は、ソフトウェア命令を介して実行可能であり得、別の実施形態においてはＡＳＩＣおよびＤＳＰなどのハードウェアを介して、およびさらなる実施形態においてはハードウェアおよびソフトウェアの混合を介して、実行可能であり得ることを理解されたい。
【００７８】
開示される様々な実施形態の簡潔な説明
ＡＭＦ実施形態
Ａ１．  ＰＤＵセッション管理のための方法（３００）であって、方法（３００）は、
ＡＭＦ（１０４）において、ユーザ機器（ＵＥ）（１０２）によって送信される登録要求メッセージを受信すること（３０２）であって、登録要求メッセージは、１つまたは複数のＰＤＵセッションがユーザプレーン（ＵＰ）リソースを必要とすることを示し、ＵＰリソースを必要とするＰＤＵセッションの各々を識別する情報を含む、受信すること（３０２）、および、
登録要求メッセージの受信に応答して、ＡＭＦ（１０４）が、ＵＰリソースを必要とするＰＤＵセッションのうちの少なくとも１つについてＵＰリソースを確立することをＳＭＦ（１０６）に要求するためのＵＰリソース要求メッセージを、セッション管理機能（ＳＭＦ）（１０６）に送信すること（３０４）、
を含む、ＰＤＵセッション管理のための方法（３００）。
【００７９】
Ａ２．  ＵＰリソース要求メッセージの受信に応答して、ＳＭＦ（１０６）がＵＰ機能再配置をトリガすることをさらに含む、
実施形態Ａ１の方法（３００）。
【００８０】
Ａ３．  登録要求メッセージは、ＵＥ（１０２）が登録された状態にあり、モビリティに起因して登録を開始していることを示す登録タイプ識別子（ＩＤ）をさらに備える、実施形態Ａ１またはＡ２の方法（３００）。
【００８１】
Ａ４．  ＵＰリソース要求メッセージに応答して、ＳＭＦ（１０６）によって送信されるセッション管理（ＳＭ）情報（たとえば、Ｎ２  ＳＭ情報）を受信すること、
をさらに含む、上記実施形態のいずれか１つの方法（３００）。
【００８２】
Ａ５．  ＡＭＦ（１０４）がＵＥ（１０２）をサーブするアクセスノード（１０８）に、メッセージ（たとえば、Ｎ２  ＰＤＵセッション要求）を送信することをさらに含み、メッセージはセッション管理情報（たとえば、Ｎ２  ＳＭ情報）を含む、
実施形態Ａ４の方法（３００）。
【００８３】
Ａ６．  セッション管理情報（たとえば、Ｎ２  ＳＭ情報）は、サービス品質（ＱｏＳ）を示す情報およびトンネルエンドポイント情報を含む、実施形態Ａ４またはＡ５の方法（３００）。
【００８４】
Ａ７．  ＵＰリソースを必要とする識別されたＰＤＵセッションのためのＵＰリソースは、無線インターフェース上のデータ無線ベアラ（ＤＲＢ）、および、ＵＰ機能とＵＥ（１０２）をサーブするアクセスノード（１０８）との間のＵＰトンネルを含む、上記実施形態のいずれか１つの方法。
【００８５】
Ｂ１．  ＰＤＵセッション管理のためのＡＭＦ（１０４）であって、
ユーザ機器（ＵＥ）（１０２）によって送信される登録要求メッセージを受信するため（３０４）であって、登録要求メッセージは、１つまたは複数のＰＤＵセッションがユーザプレーン（ＵＰ）リソースを必要とすることを示し、ＵＰリソースを必要とするＰＤＵセッションの各々を識別する情報を含む、受信するため（３０４）、および、
登録要求メッセージの受信に応答して、ＵＰリソースを必要とする識別されたＰＤＵセッションのうちの少なくとも１つについてＵＰリソースを確立することをＳＭＦ（１０６）に要求するためのＵＰリソース要求メッセージを、セッション管理機能（ＳＭＦ）（１０６）に送信するため（３０４）に、
適合された、ＰＤＵセッション管理のためのＡＭＦ（１０４）。
【００８６】
Ｃ１．  ＰＤＵセッション管理のためのＡＭＦ（１０４）であって、
ユーザ機器（ＵＥ）（１０２）によって送信された登録要求メッセージを受信器を介して取得するように設定された、第１の取得モジュール（７０２）であって、登録要求メッセージは、１つまたは複数のＰＤＵセッションがユーザプレーン（ＵＰ）リソースを必要とすることを示し、ＵＰリソースを必要とするＰＤＵセッションの各々を識別する情報を含む、第１の取得モジュール（７０２）、および、
登録要求メッセージの受信の結果として、ＵＰリソース要求メッセージをセッション管理機能（ＳＭＦ）（１０６）に送信するために送信器を採用するように設定された、第１の送信モジュール（７０４）であって、ＵＰリソース要求メッセージは、ＵＰリソースを必要とする識別されたＰＤＵセッションのうちの少なくとも１つのためにＵＰリソースを確立するようにＳＭＦ（１０６）に要求するための情報を含む、第１の送信モジュール（７０４）、
を備える、ＰＤＵセッション管理のためのＡＭＦ（１０４）。
【００８７】
Ｂ／Ｃ２．  登録要求メッセージは、ＵＥ（１０２）が登録状態にあり、モビリティに起因して登録を開始していることを示す登録タイプ識別子（ＩＤ）をさらに含む、実施形態Ｂ１またはＣ１のＡＭＦ（１０４）。
【００８８】
Ｂ／Ｃ３．  ＡＭＦ（１０４）は、ＵＰリソース要求メッセージに応答して、ＳＭＦ（１０６）によって送信されたセッション管理情報（たとえば、Ｎ２  ＳＭ情報）を受信するように、さらに適合されるか、または、
ＡＭＦ（１０４）は、ＵＰリソース要求メッセージに応答して、ＳＭＦ（１０６）によって送信されたセッション管理情報（たとえば、Ｎ２  ＳＭ情報）を、受信器を介して取得するように設定された、第２の取得モジュール（７０６）をさらに備える、
上記実施形態のいずれか１つのＡＭＦ（１０４）。
【００８９】
Ｂ／Ｃ４．  ＡＭＦ（１０４）は、ＵＥ（１０２）をサーブするアクセスノード（１０８）にメッセージ（たとえば、Ｎ２  ＰＤＵセッション要求）を送信するようにさらに適合され、メッセージは、セッション管理情報（たとえば、Ｎ２  ＳＭ情報）を含むか、または、
ＡＭＦ（１０４）は、ＵＥ（１０２）をサーブするアクセスノード（１０８）に、メッセージ（たとえば、Ｎ２  ＰＤＵセッション要求）を送信するために、送信器を採用するように設定された、第２の送信モジュール（７０８）をさらに備え、メッセージはセッション管理情報（たとえば、Ｎ２  ＳＭ情報）を含む、
実施形態Ｂ／Ｃ３のＡＭＦ（１０４）。
【００９０】
Ｂ／Ｃ５．  セッション管理情報（たとえば、Ｎ２  ＳＭ情報）は、サービス品質（ＱｏＳ）を示す情報およびトンネルエンドポイント情報を含む、実施形態Ｂ／Ｃ４またはＢ／Ｃ５のＡＭＦ（１０４）。
【００９１】
Ｂ／Ｃ６．  識別されたＰＤＵセッションのためのＵＰリソースは、無線インターフェース上のデータ無線ベアラ（ＤＲＢ）および、ＵＰ機能とＵＥ（１０２）をサーブするアクセスノード（１０８）との間のＵＰトンネルを含む、上記実施形態のいずれか１つのＡＭＦ（１０４）。
【００９２】
ＵＥ実施形態
Ｄ１．  ＰＤＵセッション管理のための方法（４００）であって、
ユーザ機器（ＵＥ）（１０２）によって、第１のＰＤＵセッションがユーザプレーン（ＵＰ）リソースを必要としていることを決定すること（４０２）、
ＵＥによって、登録要求メッセージを送信することが必要であることを決定すること（４０４）、および、
ａ）登録要求メッセージを送信することが必要であること、およびｂ）第１のＰＤＵセッションがＵＰリソースを必要としていることを決定した後、ＵＥが登録要求メッセージを送信すること（４０４）であって、登録要求メッセージは、第１のＰＤＵセッションがＵＰリソースを必要としていることを示す情報を含む、送信すること（４０４）、
を含む、ＰＤＵセッション管理のための方法（４００）。
【００９３】
Ｄ２．  登録要求メッセージは、登録タイプを識別するための登録タイプ識別子（ＩＤ）、ＵＥ  ＩＤ（たとえば、永続ＩＤまたは一時ＩＤ）、セキュリティパラメータ、ネットワークスライス選択支援情報（ＮＳＳＡＩ）を、さらに含む、実施形態Ｄ１の方法（４００）。
【００９４】
Ｄ３．  登録要求メッセージは、ＵＥ（１０２）が登録された状態にあり、モビリティに起因して登録を開始していることを示す登録タイプ識別子をさらに含む、実施形態Ｄ１またはＤ２の方法（４００）。
【００９５】
Ｄ４．  識別されたＰＤＵセッションについてのＵＰリソースは、無線インターフェースおよびＵＰトンネル上のデータ無線ベアラ（ＤＲＢ）を含む、上記実施形態のいずれか１つの方法（４００）。
【００９６】
Ｅ１．  ＰＤＵセッション管理のためのユーザ機器（ＵＥ）（１０２）であって、
第１のＰＤＵセッションがユーザプレーン（ＵＰ）リソースを必要としていることを決定するように、
登録要求メッセージを送信することが必要であることを決定するように、および、
ａ）登録要求メッセージを送信することが必要であること、およびｂ）第１のＰＤＵセッションがＵＰリソースを必要としていることを決定した後、登録要求メッセージを送信するように、
適合され、
登録要求メッセージは、第１のＰＤＵセッションがＵＰリソースを必要としていることを示す情報を含む、
ＰＤＵセッション管理のためのユーザ機器（ＵＥ）（１０２）。
【００９７】
Ｆ１．  ＰＤＵセッション管理のためのユーザ機器（ＵＥ）（１０２）であって、
ｉ）第１のＰＤＵセッションがユーザプレーン（ＵＰ）リソースを必要とするかどうか、およびｉｉ）登録要求メッセージを送信する必要があるかどうかを、決定するように設定された、決定モジュール（８０２）と、
決定モジュールが登録メッセージを送信する必要があると決定することに応答して、登録要求メッセージを送信するために送信器を採用するように設定された、第１の送信モジュール（８０４）であって、登録要求メッセージは、ＵＰリソースを必要とする第１のＰＤＵセッションを識別する情報を含む、第１の送信モジュール（８０４）と、
を含む、ＰＤＵセッション管理のためのユーザ機器（ＵＥ）（１０２）。
【００９８】
Ｅ／Ｆ２．  登録要求メッセージは、登録タイプを識別するための登録タイプ識別子（ＩＤ）、ＵＥ  ＩＤ（たとえば、永続ＩＤまたは一時ＩＤ）、セキュリティパラメータ、ネットワークスライス選択支援情報（ＮＳＳＡＩ）を、さらに含む、実施形態Ｅ１またはＦ１のＵＥ（１０２）。
【００９９】
Ｅ／Ｆ３．  登録要求メッセージは、ＵＥ（１０２）が登録された状態にあり、モビリティに起因して登録を開始していることを示す登録タイプ識別子（ＩＤ）をさらに含む、実施形態Ｅ１、Ｆ１、またはＥ／Ｆ２のＵＥ（１０２）。
【０１００】
Ｅ／Ｆ４．  識別されたＰＤＵセッションについてのＵＰリソースは、無線インターフェースおよびＵＰトンネル上のデータ無線ベアラ（ＤＲＢ）を含む、上記実施形態のいずれか１つのＵＥ（１０２）。
【０１０１】
Ｇ１．  方法（９００）であって、
ＵＥが新しい登録エリア内に移動したかどうかをＵＥ（１０２）が決定すること（ステップ９０２）、および、
ＵＥが新しい登録エリア内に移動したものと決定した結果として、ＵＥが登録要求メッセージを生成すること（９０４）、登録要求メッセージを送信すること（９０６）を含み、
登録要求メッセージを生成するステップは、
ＵＥが送るためのアップリンク（ＵＬ）データを有するかどうかをＵＥが決定することを含み（９０４ａ）、データを有する場合、ＵＥは、登録要求メッセージ内に、ｉ）ＰＤＵセッションがＵＰリソースを必要とすることを示し、ｉｉ）当該ＰＤＵセッションを識別する情報を含める（９０４ｂ）、
方法（９００）。
【０１０２】
追加のＡＭＦ実施形態
Ｈ１．  方法（１０００）であって、
ＵＥ（１０２）によって送信された登録要求メッセージを、ＡＭＦ（１０４）が受信すること、および、
登録要求メッセージが、ＵＥとのシグナリング接続を維持することをＵＥが要求していることを示す情報（たとえば、継続フラグ）を含むかどうかを、ＡＭＦ（１０４）が決定すること、
を含む、方法（１０００）。
【０１０３】
Ｈ２．  登録要求メッセージが、ＵＥとのシグナリング接続を維持することをＵＥが要求していることを示す情報を含むものと、ＡＭＦが決定した結果として、シグナリング接続が維持されることをＵＥが要求したことを示す情報（たとえば、ローカルフラグ）を、ＡＭＦが記憶すること、
をさらに含む、実施形態Ｈ１の方法。
【０１０４】
Ｈ３．  登録要求メッセージが、ＵＥとのシグナリング接続を維持することをＵＥが要求していることを示す情報を含むものと、ＡＭＦが決定した結果として、ＵＥをサーブしている無線アクセスネットワーク（ＲＡＮ）のノード（たとえば、基地局）に、ＡＭＦが情報を送ることであって、ノードに送られる情報は、シグナリング接続が維持されることをＵＥが要求したことを示す、送ること、
をさらに含む、実施形態Ｈ１またはＨ２の方法。
【０１０５】
Ｈ４．  ＲＡＮのノードは、ＡＭＦによって送られた情報を受信した結果として、ＵＥのための不活動タイマを増加させる、実施形態Ｈ３の方法。
【０１０６】
Ｈ５．  ＡＭＦによってＲＡＮのノードに送られた情報は、（たとえば、接続されたモードモビリティを実行可能にするために）アクセス層（ＡＳ）セキュリティを有効にするための情報をさらに含む、実施形態Ｈ３〜Ｈ４のうちのいずれか１つの方法。
【０１０７】
Ｈ６．  ＵＥのために接続されたモードモビリティを実行可能にするために、ＲＡＮのノードがＡＳセキュリティを有効にすることをさらに含む、実施形態Ｈ５の方法。
【０１０８】
Ｉ．  装置であって、
ＵＥ（１０２）によって送信された登録要求メッセージを、受信するように、および、
受信した登録要求メッセージが、ＵＥとのシグナリング接続を維持することをＵＥが要求していることを示す情報（たとえば、継続フラグ）を含むかどうかを、決定するように、
適合された、装置。
【０１０９】
Ｊ．  装置であって、
ＵＥ（１０２）によって送信される登録要求メッセージを取得するための取得モジュール、および、
取得した登録要求メッセージが、ＵＥとのシグナリング接続を維持することをＵＥが要求していることを示す情報（たとえば、継続フラグ）を含むかどうかを決定するための、決定モジュール、
を備える、装置。
【０１１０】
追加のＵＥ実施形態
Ｈ１．  方法（１１００）であって、
ＵＥがネットワークに登録する必要があることをＵＥ（１０２）が決定すること（１１０２）、および、
ＵＥがネットワークに登録する必要がある旨の決定の結果として、ＵＥが登録要求メッセージを生成すること（１１０４）、および、登録要求メッセージをネットワークに送信すること（１１０６）を含み、
登録要求メッセージを生成することは、ネットワークがＵＥとのシグナリング接続を維持することをＵＥが要求していることを示す情報（たとえば、継続フラグ）を、登録要求メッセージに含めることを含む（１１０４ｂ）、
方法（１１００）。
【０１１１】
Ｈ２．  ＵＥが送るためのアップリンク（ＵＬ）データを有するかどうかをＵＥが決定すること（１１０４ａ）、
ＵＥが送るためのＵＬデータを有することをＵＥが決定した結果として、ＵＥは、ネットワークがＵＥとのシグナリング接続を維持することをＵＥが要求していることを示す情報を、登録要求メッセージに含めること、
をさらに含む、
実施形態Ｈ１の方法。
【０１１２】
Ｈ３．  ＵＥがＰＤＵセッションを確立するための要求を送信すること（１１０８）（いくつかの実施形態において、ＵＥは、ＵＥがネットワークに正常に登録した直後にＰＤＵセッションを確立するための要求を送信する）、
をさらに含む、実施形態Ｈ１またはＨ２の方法。
【０１１３】
Ｉ１．  ＵＥ（１０２）であって、
ＵＥがネットワークに登録する必要があることを決定するように（１１０２）、
ＵＥがネットワークに登録する必要がある旨の決定の結果として、登録要求メッセージを生成するように（１１０４）、および、登録要求メッセージをネットワークに送信するように（１１０６）、適合され、
ＵＥは、ネットワークがＵＥとのシグナリング接続を維持することをＵＥが要求していることを示す情報（たとえば、継続フラグ）を登録要求メッセージに含めること（１１０４ｂ）を含むプロセスを実行することによって、登録要求メッセージを生成するように設定される、
ＵＥ（１０２）。
【０１１４】
Ｊ１．  ＵＥ（１０２）であって、
ＵＥがネットワークに登録する必要があるかどうかを決定するための決定モジュールと、
ＵＥがネットワークに登録する必要がある旨の決定の結果として、登録要求メッセージを生成するための生成モジュールと、
登録要求メッセージをネットワークに送信するために送信器を採用するための送信モジュールと、
を備え、
生成モジュールは、ネットワークがＵＥとのシグナリング接続を維持することをＵＥが要求していることを示す情報（たとえば、継続フラグ）を登録要求メッセージに含めることを含むプロセスを実行することによって、登録要求メッセージを生成するように設定される、
ＵＥ（１０２）。
【０１１５】
本開示の様々な実施形態を本明細書で説明しているが、それらは単なる例として提示しており、限定ではないことを理解されたい。したがって、本開示の幅および範囲は、前述のいずれの例示的実施形態によっても限定されるものではない。さらに、それらのすべての可能な変形形態における前述の要素のいずれの組み合わせも、本明細書で特に示されていない限り、または文脈と明らかに矛盾していない限り、本開示によって包含される。
【０１１６】
加えて、上記で説明し図面に示されたプロセスは、一連のステップとして示されているが、これは単に例示のために行われたものである。したがって、何らかのステップが追加できること、何らかのステップが省略できること、ステップの順序が並べ替えられること、および、何らかのステップが並行して実行できることが企図される。
【図１】
2020504559.tif 000003
【図２】
2020504559.tif 000004
【図３】
2020504559.tif 000005
【図４】
2020504559.tif 000006
【図５】
2020504559.tif 000007
【図６】
2020504559.tif 000008
【図７】
2020504559.tif 000009
【図８】
2020504559.tif 000010
【図９】
2020504559.tif 000011
【図１０】
2020504559.tif 000012
【図１１】
2020504559.tif 000013
【国際調査報告】
2020504559.tif 000014
2020504559.tif 000015
2020504559.tif 000016
2020504559.tif 000017